(57)【要約】【課題】紙幣を安定して収納する。【解決手段】紙幣Ｐを収納し、紙幣Ｐを外部へ繰り出す紙幣収納装置１００は、搬入された紙幣Ｐが載置されるステージ１１０と、ステージ１１０の紙幣載置面に対向配置され、ステージ１１０側に移動して、載置された紙幣Ｐの上面部の少なくとも一対の対向する辺を押さえる矯正部材１２０と、を有するために、矯正部材１２０によって紙幣Ｐが押えられ、紙幣Ｐの曲げ癖が解消されて、安定して収納することができる。【選択図】図７
2010044555.tif 000002
【特許請求の範囲】
【請求項１】
紙幣を収納し、前記紙幣を外部へ繰り出す紙幣収納装置において、
搬入された前記紙幣が載置されるステージと、
前記ステージの紙幣載置面に対向配置され、前記ステージ側に移動して、載置された前記紙幣の少なくとも一対の対向する辺を押さえる矯正部材と、
を有することを特徴とする紙幣収納装置。
【請求項２】
前記ステージの前記紙幣載置面に対向して揺動自在に支持され、搬入された前記紙幣を前記紙幣載置面側に押し下げる押え部材をさらに有することを特徴とする請求項１記載の紙幣収納装置。
【請求項３】
前記押え部材は前記矯正部材よりも前記紙幣の内側を押し下げることを特徴とする請求項２記載の紙幣収納装置。
【請求項４】
前記ステージの前記紙幣載置面に対向配置され、前記紙幣を繰り出すローラをさらに有し、
載置された前記紙幣を押さえた状態の前記矯正部材とともに前記ステージが前記ローラ側に移動し、
前記紙幣が前記ローラに接触すると、前記矯正部材が前記紙幣から退避し、
前記ローラが前記紙幣を繰り出す、
ことを特徴とする請求項１記載の紙幣収納装置。
【請求項５】
前記矯正部材の前記紙幣の搬入方向側の端部近傍に配置され、前記矯正部材の移動方向に平行なレールと、
前記レールに設置され、前記レールに沿って上下に移動するとともに、前記矯正部材に接続されたガイドと、
前記ガイドと一端が揺動自在に支持された接続棒と、
前記紙幣収納装置の側部に配置され前記接続棒の他端を揺動自在に支持した支持部と、
前記接続棒に荷重を印加することにより前記接続棒が前記他端を支点として回転し、前記ガイドを前記レールに沿って移動させる荷重印加部と、
を有することを特徴とする請求項１記載の紙幣収納装置。
【発明の詳細な説明】
【技術分野】
【０００１】
本発明は紙幣収納装置に関し、特に、紙幣を収納し、紙幣を外部へ繰り出す紙幣収納装置に関する。
【背景技術】
【０００２】
銀行等における紙幣の自動的な預け入れもしくは払い出し、及び競馬等の公営競技場における投票券等の購入や勝券等の払い戻しに際し、紙幣の入出金処理とともに、紙幣を収納する紙幣収納装置が利用されている。
【０００３】
この紙幣収納装置は、紙幣の入出時に応じて、紙幣が集積されたステージを移動させる。紙幣を出金する場合には、ステージに対向配置されたキックローラに、ステージを移動させて、ステージに集積された紙幣の上面部を押し当てて、キックローラの回転駆動によって紙幣が外部へ繰り出される。紙幣を入金する場合には、搬送ローラの回転駆動によって紙幣が装置内に搬送されて、ステージの集積面に紙幣が集積される。ステージは集積される紙幣の枚数に応じて移動し紙幣の集積領域を確保する。
【０００４】
紙幣収納装置には紙幣を安定して収納させるために、集積された紙幣の上面部を押さえるための押え部材が備えられている（例えば、特許文献１参照）。
以下に、押え部材を備える紙幣収納装置の構成例について説明する。
【０００５】
図１７は非動作時の紙幣収納装置の側面図であって、図１８は非動作時の紙幣収納装置の断面図である。なお、図１８は図１７に示した紙幣収納装置２００の一点鎖線Ａ−Ａによる断面図である。
【０００６】
紙幣収納装置２００は、複数の紙幣Ｐが集積されるステージ１１０と、ステージ１１０に対向し、上壁面部１６０に配置された押え部材１３０と、上壁面部１６０から搬送路１８０側に外周部の一部が露出して配置されたキックローラ１４０と、搬送路１８０側に外周部の一部が露出して、キックローラ１４０よりも搬送口１８１側に配置された一対の搬送ローラ１７０と、を備え、側壁１５０、上壁面部１６０及び後壁１６１にて囲まれている。
【０００７】
ステージ１１０は複数の紙幣Ｐが集積されて、上壁面部１６０に配置されたキックローラ１４０に対し接近及び退避する。
押え部材１３０は上壁面部１６０に回転軸１３１（図１８では図示を省略）で揺動自在に支持されている。紙幣Ｐの入出金動作が行われていない場合には、押え部材１３０は図１７及び図１８に示すようにステージ１１０に集積された紙幣Ｐの上面部をステージ１１０側に押える。
【０００８】
キックローラ１４０は上壁面部１６０から搬送路１８０側に外周部の一部が露出して配置されている。キックローラ１４０に紙幣Ｐの上面部が押し当てられて、キックローラ１４０の回転駆動によって紙幣Ｐを搬送路１８０に搬送させて、紙幣収納装置２００の正面に配置された搬送口１８１から外部へ繰り出す。
【０００９】
一対の搬送ローラ１７０は、一方は上壁面部１６０の搬送口１８１側に、他方は搬送路１８０を挟んで一方と対向する位置に、それぞれ配置させている。一対の搬送ローラ１７０は紙幣Ｐを搬送路１８０に搬送する。
【００１０】
このような構成を有する紙幣収納装置２００の紙幣Ｐの入金動作について説明する。
図１９及び図２０は紙幣搬入時の紙幣収納装置の側面図である。
図１７に示した紙幣収納装置２００の状態において、搬送口１８１からの紙幣Ｐ１は搬送ローラ１７０によって搬送路１８０を搬送させられる。押え部材１３０は、図１９に示されるように、搬入された紙幣Ｐ１によって押されて回転軸１３１を中心に矢印Ｘ１（時計回り）方向に回転して持ち上げられる。
【００１１】
紙幣Ｐ１は持ち上げられた押え部材１３０の下方を通り紙幣収納装置２００の後壁１６１まで到達する。図２０に示されるように、持ち上げられた押え部材１３０は自重により回転軸１３１を中心に矢印Ｘ２（反時計回り）方向に回転して元の位置に戻り、紙幣Ｐ１の搬入方向先端部近傍はステージ１１０の集積面側に押される。押えられた紙幣Ｐは、図１７に示されるように、紙幣Ｐの上面部に集積される。
【００１２】
上記のように押え部材１３０により紙幣収納装置２００は安定して紙幣Ｐ１を収納することができる。
【特許文献１】特開２００１−３５４３４９号公報
【発明の開示】
【発明が解決しようとする課題】
【００１３】
例えば、上記のような構成を有する紙幣収納装置２００の場合には、特に、曲げ癖又は折れ癖が付いた紙幣Ｐ１が集積される時に、次のようにして紙幣Ｐ１の集積不良又は紙幣の詰まり等が発生する。
【００１４】
図２１及び図２２は曲げ癖が付いた紙幣が収納された紙幣収納装置の側面図であり、図２３は曲げ癖が付いた紙幣が収納された紙幣収納装置の断面図である。
上記のように紙幣収納装置２００に収納された紙幣Ｐ１が長手方向に曲げ癖が付いている場合には図２１に示されるように、押え部材１３０では、紙幣Ｐ１の搬入方向後方部近傍の曲げ癖を押えることができない。また、紙幣Ｐ１が短手方向に曲げ癖がある場合にも図２３に示されるように、押え部材１３０が届かない領域の曲げ癖を押えることができない。このように曲げ癖がついたままの状態で、紙幣Ｐ１上には安定して紙幣を集積できず、また、曲げ癖が付いた紙幣Ｐ１を繰り出そうとすると、紙幣Ｐ１が搬送路１８０にうまく搬送されずに紙幣詰まり等が生じるといった問題があった。
【００１５】
このような問題を解決するために押え部材１３０の重量及び配置位置等を変更することが考えられる。しかし、この方法だと紙幣Ｐ１が搬入された際に押え部材１３０を持ち上げられなくなり、この時点で紙幣Ｐ１の詰まりが生じる。
【００１６】
また、曲げ癖が強い場合には、図２２に示されるように、押え部材１３０で矯正することすらできない。曲げ癖が強い紙幣Ｐ１を内部に備えたままであれば、例えば、上壁面部１６０と干渉して紙幣Ｐ１が折れ曲がり、また、上壁面部１６０と側壁１５０との間に紙幣Ｐが入り込み、いずれの場合でも紙幣Ｐの繰り出し負荷が増大し、さらには紙幣収納装置２００の紙幣詰まりの発生の原因となる。
【００１７】
本発明は、このような点に鑑みてなされたものであり、紙幣を安定して収納できる紙幣収納装置を提供することを目的とする。
【課題を解決するための手段】
【００１８】
上記目的を達成するために、紙幣を収納し、紙幣を外部へ繰り出す紙幣収納装置が提供される。
この紙幣収納装置は搬入された前記紙幣が載置されるステージと、前記ステージの紙幣載置面に対向配置され、前記ステージ側に移動して、載置された前記紙幣の少なくとも一対の対向する辺を押さえる矯正部材と、を有する。
【００１９】
このような紙幣収納装置によれば、ステージに、搬入された紙幣が載置されて、ステージの紙幣載置面に対向配置された矯正部材がステージ側に移動して、載置された紙幣の少なくとも一対の対向する辺を押さえるようになる。
【発明の効果】
【００２０】
上記紙幣収納装置では、紙幣を安定して収納できる。
【発明を実施するための最良の形態】
【００２１】
以下、本発明の実施の形態について、図面を参照して説明する。
図１は実施の形態に係る紙幣収納装置の側面図、図２は紙幣収納装置の断面図、図３は紙幣収納装置の上断面図である。なお、図２の紙幣収納装置１００は図１の一点鎖線Ａ−Ａの断面図、図３の紙幣収納装置１００は図１の一点鎖線Ｂ−Ｂの上断面図である。また、図１〜図３の紙幣収納装置１００は紙幣の入出金等を行っていない非動作時の場合である。
【００２２】
紙幣収納装置１００は、ステージ１１０と、ステージ１１０と対向配置されステージ１１０に対して接近及び退避する矯正部材１２０と、ステージ１１０と対向する上壁面部１６０に配置された押え部材１３０と、上壁面部１６０に配置されたキックローラ１４０と、搬送路１８０に外周面の一部が露出して配置された一対の搬送ローラ１７０と、正面側に配置され、搬送路１８０に通じる搬送口１８１と、を有する。これらの構成が側壁１５０、上壁面部１６０及び後壁１６１によって囲まれている。
【００２３】
ステージ１１０は搬入された紙幣Ｐが集積される。紙幣Ｐの入出金時に応じて、キックローラ１４０に対して移動する。例えば、紙幣Ｐを出金する場合には、ステージ１１０はキックローラ１４０側に移動し、紙幣Ｐの上面部をキックローラ１４０に押し当てる。紙幣Ｐを入金する場合には、ステージ１１０はキックローラ１４０から退避し、入金される紙幣Ｐの収納領域を確保する。
【００２４】
矯正部材１２０は、ステージ１１０に対向して上壁面部１６０内に配置されている。矯正部材１２０は、紙幣Ｐが入金される場合には、ステージ１１０側に移動して、ステージ１１０に集積された紙幣Ｐの上面部を押える。したがって、紙幣Ｐの上面部に曲げ癖等が付いている場合には、曲げ癖が解消される。このため、矯正部材１２０は紙幣Ｐの少なくとも一対の対向する辺を押えることが可能な形状をしている。例えば、図３に示されるように、矯正部材１２０はＵ字状であって紙幣Ｐの一対の対向する長手方向の辺を押えることができる。矯正部材１２０のその他の形状としては、少なくとも一対の対向する短手方向の辺、紙幣Ｐの周囲の４辺を押えるようなものでも構わない。又は、紙幣Ｐ全面を押えるような形状が好ましい。なお、図３では上壁面部１６０の図示を省略している。一方、紙幣Ｐが出金される場合には、矯正部材１２０は、ステージ１１０の移動とともに、紙幣Ｐの上面部を押えながらキックローラ１４０側へ移動する。紙幣Ｐの上面部がキックローラ１４０に押し当てられると、矯正部材１２０は紙幣Ｐから退避して上壁面部１６０内へ移動する。なお、矯正部材１２０の動作機構については後述する。
【００２５】
押え部材１３０は、上壁面部１６０に平行かつ側壁１５０に両端部が支持される回転軸１３１（図２及び図３には図示を省略）に揺動自在に設けられ、集積された紙幣Ｐの上面部を押える。また、図２及び図３に示されるように、押え部材１３０は矯正部材１２０よりも紙幣収納装置１００の内側に設けられており、矯正部材１２０よりも紙幣Ｐの内側を押える。
【００２６】
キックローラ１４０はステージ１１０と対向して、上壁面部１６０から外周面の一部が露出されて配置されている。紙幣Ｐの上面部がキックローラ１４０に押し当てられると、キックローラ１４０の回転駆動によって紙幣Ｐを搬送路１８０へ搬出して搬送口１８１から繰り出す。
【００２７】
一対の搬送ローラ１７０は、一方はキックローラ１４０よりも搬送口１８１側であって、上壁面部１６０から外周面の一部が搬送路１８０側に露出され、他方は一方と対向して外周面の一部が搬送路１８０側に露出して、それぞれ配置されている。これらの一対の搬送ローラ１７０の回転駆動によって、搬送路１８０に入出金される紙幣Ｐを搬送させる。
【００２８】
上記のような構成を有する紙幣収納装置１００の紙幣Ｐの入金動作について説明する。なお、以下では図２１及び図２２に示したような紙幣Ｐ１の長手方向への曲げ癖を解消する場合を例に説明する。また、曲げ癖は長手方向の場合によらず、図２３に示したような短手方向等でも同様に解消することができる。
【００２９】
図４は搬入時の紙幣収納装置の側面図、図５は紙幣の収納時の紙幣収納装置の側面図、図６は紙幣の収納時の紙幣収納装置の断面図である。なお、図６の紙幣収納装置１００は図５の一点鎖線Ａ−Ａの断面図である。
【００３０】
搬送口１８１から搬入された紙幣Ｐ１は、時計回り方向及び反時計回り方向にそれぞれ回転駆動する一対の搬送ローラ１７０によって、搬送路１８０を搬入させられる。搬送路１８０を搬入させられた紙幣Ｐ１は押え部材１３０に到達する。
【００３１】
押え部材１３０は、図１９で説明したように、紙幣Ｐ１によって押されて回転軸１３１を中心に矢印Ｘ１（時計回り）方向に回転して持ち上げられる。紙幣Ｐ１は持ち上げられた押え部材１３０の下方を通過しようとする。図２０で説明したように、持ち上げられた押え部材１３０は自重により回転軸１３１を中心に矢印Ｘ２（反時計回り）方向に回転して元の位置に戻ることで、紙幣Ｐ１の搬入方向先端部近傍はステージ１１０の集積面側に押される。曲げ癖が付いた紙幣Ｐ１は、紙幣Ｐの上面部に集積される。
【００３２】
図７及び図９は紙幣収納装置の矯正部材による紙幣の矯正工程を示す側面図であって、図８及び図１０は紙幣収納装置の矯正部材による紙幣の矯正工程を示す断面図である。図８及び図１０の紙幣収納装置１００は図７及び図９の一点鎖線Ａ−Ａのそれぞれの断面図である。
【００３３】
曲げ癖が付いた紙幣Ｐ１は紙幣Ｐの上面部に集積されると、矯正部材１２０が上壁面部１６０側から紙幣Ｐ１側に移動し、紙幣Ｐ１に接触する。
矯正部材１２０は、紙幣Ｐ１をさらにステージ１１０側へ押し付けて、紙幣Ｐ１の曲げ癖を解消するように矯正する。
【００３４】
新たに紙幣が搬入される場合には矯正部材１２０を図１で示したように上壁面部１６０側に移動して、上記図４〜図１０と同様の動作が行われる。
上記のようにして紙幣収納装置１００では紙幣が収納される。
【００３５】
次に、紙幣収納装置１００の紙幣Ｐ１の出金動作について説明する。
図１１及び図１２は出金時の紙幣収納装置の側面図である。
紙幣Ｐ１を押えたままの状態の矯正部材１２０（図９及び図１０）とともに、ステージ１１０が上壁面部１６０側へ移動する。紙幣Ｐ１は、押え部材１３０を矢印Ｙ１（時計回り）方向に持ち上げて回転させ、キックローラ１４０の外周面に押し当てられる。
【００３６】
矯正部材１２０が紙幣Ｐ１から上壁面部１６０内へ退避する。紙幣Ｐ１は、押し当てられたキックローラ１４０の矢印（反時計回り）方向への回転駆動により搬送路１８０へ搬出される。さらに一対の搬送ローラ１７０の矢印（時計回り及び反時計回り）方向へのそれぞれの回転駆動によって搬送口１８１から繰り出されて出金される。
【００３７】
なお、紙幣Ｐ１は矯正部材１２０が退避しても、押え部材１３０、キックローラ１４０及び上壁面部１６０からの押えによって曲げ癖の解消は維持される。
上記のような紙幣収納装置１００では、搬入された紙幣Ｐ１が押え部材１３０によって押し下げられてステージ１１０に集積され、そのまま押え部材１３０に押えられる。ステージ１１０に集積された紙幣Ｐ１は、矯正部材１２０によってステージ１１０側に押されて曲げ癖が解消されるため、紙幣Ｐ１の上壁面部１６０との接触による折れ曲がりや側壁１５０（図８）及び上壁面部１６０の隙間への紙幣Ｐの詰まりが抑制される。したがって、安定して紙幣を収納することができる。また、安定して収納された紙幣Ｐを出金する際に、キックローラ１４０によって繰り出す直前まで、矯正部材１２０によって紙幣Ｐ１は押えられるために、曲げ癖が解消されたままの紙幣Ｐ１を搬出し、繰り出すことが可能となる。
【００３８】
次に矯正部材１２０の動作機構の一例について説明する。
図１３は矯正部材の動作機構を備える紙幣収納装置の側面図である。
上記の紙幣収納装置１００の矯正部材１２０の後壁１６１側にガイド１２２が一体的に接続されている。また、ガイド１２２は紙幣収納装置１００の後壁１６１近傍に、底部から上壁面部１６０間を繋ぐように配置されたレール１２１に設置されて、レール１２１に沿って上下に移動できる。
【００３９】
図１４は矯正部材の動作機構を備える紙幣収納装置の背面図である。
また、紙幣収納装置１００の側部には矯正部材１２０の駆動部１２０ａが配置されている。駆動部１２０ａは、固定部材１２６に端部が固定されたばね１２７と、ばね１２７の他方の端部と接続された可動鉄心１２４を上下に可動させるソレノイド１２５と、ソレノイド１２５を保持する支持部１２８とを有する。また、駆動部１２０ａは接続棒１２３を介してガイド１２２を動作させる。
【００４０】
ばね１２７は、端部が紙幣収納装置１００の側部に配置された固定部材１２６に固定され、他方の端部は可動鉄心１２４の先端部に固定されている。したがって、可動鉄心１２４には常時下方へばね１２７による弾性力が働く。また、ばねに限らず、ゴム等の弾性体であっても構わない。
【００４１】
ソレノイド１２５は、内部に、可動鉄心１２４が嵌合される空心を有するコイル（図示を省略）を有する。コイルに流す電流の向きにより可動鉄心１２４は図中上下方向に可動する。
【００４２】
接続棒１２３は、可動鉄心１２４の端部及びガイド１２２のリンクピン孔を介してリンクピン１２２ａ，１２４ａによりそれぞれ支持されており、ガイド１２２と接続されていない他方の端部が支持部１２８に回転軸１２８ａで揺動自在に支持されている。
【００４３】
このような駆動部１２０ａによる矯正部材１２０の動作機構について説明する。
図１５及び図１６は紙幣収納装置の矯正部材の動作機構を説明するための背面図である。
【００４４】
これまで説明してきたように、搬入され紙幣Ｐの上面部に集積された紙幣Ｐ１が、上壁面部１６０から移動してきた矯正部材１２０によりステージ１１０側に押される。この時の矯正部材１２０の移動は次のようにして行われる。ばね１２７による弾性力又は弾性力に加えてソレノイド１２５により可動鉄心１２４を矢印Ｚ１（下）方向へ移動させる。すると、接続棒１２３は回転軸１２８ａを中心に矢印Ｚ２（時計回り）方向に回転してガイド１２２がレール１２１に沿って下降する。ガイド１２２の下降に伴って、矯正部材１２０がステージ１１０側に移動する（図１４）。
【００４５】
出金時には、紙幣Ｐ１を押えたままの矯正部材１２０とともにステージ１１０がキックローラ１４０側へ移動する。この時の矯正部材１２０の移動はステージ１１０の上昇に合わせて、次のようにして行われる。ソレノイド１２５により可動鉄心１２４を矢印Ｚ３（上）方向へ移動させる。すると、接続棒１２３は回転軸１２８ａを中心に矢印Ｚ４（反時計回り）方向に回転してガイド１２２がレール１２１に沿って上昇する。ガイド１２２の上昇に伴って、矯正部材１２０が上壁面部１６０側に移動する。
【００４６】
ソレノイド１２５により可動鉄心１２４を矢印Ｚ５（上）方向へさらに移動させると、接続棒１２３は回転軸１２８ａを中心に矢印Ｚ６（反時計回り）方向にさらに回転してガイド１２２がレール１２１に沿ってさらに上昇する。ソレノイド１２５がラッチ式であれば、この位置で矯正部材１２０を維持させることができる。
【００４７】
その後、新たな紙幣の入金に備えてステージ１１０を図中下方に移動させる。この時、上記の通りラッチ式の矯正部材１２０は図１６で示した位置に維持されたままである。再び紙幣の入金があれば、ばね１２７による弾性力又は弾性力に加えてソレノイド１２５により可動鉄心１２４を矢印Ｚ１（下）方向へ移動させて、矯正部材１２０をステージ１１０側に移動させる（図１４）。そして、新たな出金時には図１５及び図１６で説明した同様の動作が行われる。
【図面の簡単な説明】
【００４８】
【図１】実施の形態に係る紙幣収納装置の側面図である。
【図２】紙幣収納装置の断面図である。
【図３】紙幣収納装置の上断面図である。
【図４】搬入時の紙幣収納装置の側面図である。
【図５】紙幣の収納時の紙幣収納装置の側面図である。
【図６】紙幣の収納時の紙幣収納装置の断面図である。
【図７】紙幣収納装置の矯正部材による紙幣の矯正工程を示す側面図（その１）である。
【図８】紙幣収納装置の矯正部材による紙幣の矯正工程を示す断面図（その１）である。
【図９】紙幣収納装置の矯正部材による紙幣の矯正工程を示す側面図（その２）である。
【図１０】紙幣収納装置の矯正部材による紙幣の矯正工程を示す断面図（その２）である。
【図１１】出金時の紙幣収納装置の側面図（その１）である。
【図１２】出金時の紙幣収納装置の側面図（その２）である。
【図１３】矯正部材の動作機構を備える紙幣収納装置の側面図である。
【図１４】矯正部材の動作機構を備える紙幣収納装置の背面図である。
【図１５】紙幣収納装置の矯正部材の動作機構を説明するための背面図（その１）である。
【図１６】紙幣収納装置の矯正部材の動作機構を説明するための背面図（その２）である。
【図１７】非動作時の紙幣収納装置の側面図である。
【図１８】非動作時の紙幣収納装置の断面図である。
【図１９】紙幣搬入時の紙幣収納装置の側面図（その１）である。
【図２０】紙幣搬入時の紙幣収納装置の側面図（その２）である。
【図２１】曲げ癖が付いた紙幣が収納された紙幣収納装置の側面図（その１）である。
【図２２】曲げ癖が付いた紙幣が収納された紙幣収納装置の側面図（その２）である。
【図２３】曲げ癖が付いた紙幣が収納された紙幣収納装置の断面図である。
【符号の説明】
【００４９】
１００  紙幣収納装置
１１０  ステージ
１２０  矯正部材
１２０ａ  駆動部
１２１  レール
１２２  ガイド
１２２ａ，１２４ａ  リンクピン
１２３  接続棒
１２４  可動鉄心
１２５  ソレノイド
１２６  固定部材
１２７  ばね
１２８  支持部
１２８ａ，１３１  回転軸
１３０  押え部材
１４０  キックローラ
１５０  側壁
１６０  上壁面部
１６１  後壁
１７０  搬送ローラ
１８０  搬送路
１８１  搬送口
Ｐ，Ｐ１  紙幣
【図１】
2010044555.tif 000003
【図２】
2010044555.tif 000004
【図３】
2010044555.tif 000005
【図４】
2010044555.tif 000006
【図５】
2010044555.tif 000007
【図６】
2010044555.tif 000008
【図７】
2010044555.tif 000009
【図８】
2010044555.tif 000010
【図９】
2010044555.tif 000011
【図１０】
2010044555.tif 000012
【図１１】
2010044555.tif 000013
【図１２】
2010044555.tif 000014
【図１３】
2010044555.tif 000015
【図１４】
2010044555.tif 000016
【図１５】
2010044555.tif 000017
【図１６】
2010044555.tif 000018
【図１７】
2010044555.tif 000019
【図１８】
2010044555.tif 000020
【図１９】
2010044555.tif 000021
【図２０】
2010044555.tif 000022
【図２１】
2010044555.tif 000023
【図２２】
2010044555.tif 000024
【図２３】
2010044555.tif 000025